(57)【特許請求の範囲】
【請求項１】
背フレームにおける上フレーム部の下フレーム部に対する傾動を通じて当該背フレームの上端部と下端部との離間距離が可変であり、それら上下端部間に伸縮自在な張り地を架け渡して背凭れ面を構成している背凭れを具備する椅子であって、
張り地の縁部に張り地を張った状態に保つための樹脂製のバックアップ材を設け、このバックアップ材が背フレームと張り地との間に介在して張り地を前方に張り出させており、
張り地及びバックアップ材の上端部を背フレームの上端部に、張り地及びバックアップ材の下端部を背フレームの下端部にそれぞれ支持させ、
かつ、背フレームの上端部と下端部とのうち一方において、張り地及びバックアップ材を背フレームに対し固定しており、他方において、張り地は背フレームに対し固定しつつバックアップ材は背フレームに対し上下スライド可能としていることを特徴とする椅子。
【請求項２】
バックアップ材は、左右両側に対をなす縦枠と両縦枠を連結する横枠とが正面視略三方枠状または四方枠状をなし、前後方向に撓み変形可能な薄板体である請求項１記載の椅子。
【請求項３】
バックアップ材の上端部を背フレームの上端部に固定しつつ、バックアップ材の下端部を背フレームの下端部に上下スライド可能に支持させており、
張り地の左右側縁を縦枠に、上縁を横枠に保持させている請求項２記載の椅子。
【請求項４】
バックアップ材の左右の縦枠にランバーサポートベルトの両側部を支持させてなる請求項２または３記載の椅子。
【請求項５】
バックアップ材の端面に凹溝を形成し、張り地の縁端を凹溝に嵌め入れて係止している請求項１、２、３または４記載の椅子。
【請求項６】
バックアップ材は、張り地を押圧する板ばねの作用を営む薄板体である請求項１、２、３、４または５記載の椅子。
【発明の詳細な説明】
【技術分野】
【０００１】
本発明は、背凭れの上部を傾倒操作等することの可能な椅子に関する。
【背景技術】
【０００２】
上下に対をなすフレーム間に張り地を架け渡して背凭れ面を構成した椅子が公知である。例えば、下記特許文献には、背凭れ面の上部を上フレームに支持させ、背凭れ面の下部を下フレームに支持させてなり、上フレーム、下フレームの水平軸回りの回動操作を通じて着座者個々人の体躯や背骨形状に合わせた背凭れ面を成形し得る椅子が開示されている。
【０００３】
剛体のフレームに直接に張り地を張り設けると、フレームの固さが着座者に伝わって座り心地を低下させる要因となる。また、着座者の荷重を受けた場合に、張り地の側辺は内側方に撓み込もうとする。これらの事象に対処するべく、張り地の背面側にバックアップ材を装着し、板ばねの作用を営ませてフレームの固さを感じさせないための緩衝とし、同時に張り地の側辺を保形することが行われる。
【０００４】
下記特許文献に記載の椅子では、上下に二分した正面視略Π字型の弾性体をバックアップ材として張り地の後背に配し、各々を上フレーム要素、下フレーム要素にそれぞれ固定している。上下の弾性体は、互いに相寄る自由端同士をオーバーラップさせ、オーバーラップ部分を相対的に上下スライドし得る態様で相互に連結してある。いわば、バックアップ材全体の上下寸法が伸縮可変となっている。これは、上フレームのみを独立に傾動させたときに、背凭れ面の上下端部間の距離が変化することによる。
【特許文献１】特開２００２−１１９３９０号公報
【発明の開示】
【発明が解決しようとする課題】
【０００５】
だが、上記例の如きものであると、弾性体のオーバーラップ部分が背凭れ面の上下端部の中間に位置づけられ、着座者の背中に異物感を与える可能性があるが故に、張り地に別途ウレタンクッションを貼着する等してオーバーラップ部分を蔽遮する必要性が生じる。加えて、バックアップ材が上下のピースに分かたれ、しかもそれらを相対スライド可能に連結する連結具を用いるために、構造が複雑化し部品点数も増えるきらいがある。
【０００６】
以上の問題に鑑みてなされた本発明は、快適な座り心地を提供する背凭れを簡便な構成で実現することを所期の目的としている。
【課題を解決するための手段】
【０００７】
上述した課題を解決するべく、本発明では、背フレームにおける上フレーム部の下フレーム部に対する傾動を通じて当該背フレームの上端部と下端部との離間距離が可変であり、それら上下端部間に伸縮自在な張り地を架け渡して背凭れ面を構成している背凭れを具備する椅子において、張り地の縁部に張り地を張った状態に保つための樹脂製のバックアップ材を設け、このバックアップ材が背フレームと張り地との間に介在して張り地を前方に張り出させており、張り地及びバックアップ材の上端部を背フレームの上端部に、張り地及びバックアップ材の下端部を背フレームの下端部にそれぞれ支持させ、かつ、背フレームの上端部と下端部とのうち一方において、張り地及びバックアップ材を背フレームに対し固定しており、他方において、張り地は背フレームに対し固定しつつバックアップ材は背フレームに対し上下スライド可能とした。このようなものであれば、バックアップ材を上下のピースに分かたずともよく、構造の簡便化を図り得る。そして、バックアップ材のオーバーラップ部分が着座者の背中に異物感を与える問題を実効的に解消できる。
【０００８】
具体的には、バックアップ材を、左右両側に対をなす縦枠と両縦枠を連結する横枠とが正面視略三方枠状または四方枠状をなし、前後方向に撓み変形可能な薄板体とする。バックアップ材の中央部を中空とすれば、着座者の荷重を受けた張り地が後方に沈み込むように変形することを妨げず、柔らかな座り心地を提供できる。
【０００９】
背凭れの上部を後傾させて着座者の背中を反らせるような場合、着座者の臀部は背凭れ面よりやや離反するのが自然な体位である。従って、バックアップ材の上端部を背フレームの上端部に固定しつつ、バックアップ材の下端部を背フレームの下端部に上下スライド可能に支持させた上、張り地の左右側縁を縦枠に、上縁を横枠に保持させることが、着座者に余計な違和感を与えないために好ましいと考えられる。
【００１０】
バックアップ材の左右の縦枠にランバーサポートベルトの両側部を支持させ、着座者が身体を背凭れ面に凭せかけた際にランバーサポートベルトを架け渡している部位がランバーサポートベルトの長さに応じた深度以上に後方に沈み込まないようにしてもよい。
【００１１】
バックアップ材の端面に凹溝を形成し、張り地の縁端を凹溝に嵌め入れて係止するものとして、張り地とバックアップ材との装着構造を簡便ならしめてもよい。張り地を椅子より脱着可能とすれば、張り地の交換や洗濯等、メンテナンス性の向上に資する。
【００１２】
バックアップ材は、張り地を押圧する板ばねの作用を営む薄板体であることが好ましい。
【発明の効果】
【００１３】
本発明によれば、快適な座り心地を提供する背凭れを簡便な構成で実現可能である。
【発明を実施するための最良の形態】
【００１４】
以下、本発明の一実施形態を、図面を参照して説明する。本実施形態の椅子は、図１ないし図５に示すように、脚体４と、脚体４に支持させた基体２と、基体２上に配設した座３と、水平支軸１６を介して基体２に枢着した背凭れ１とを具備し、座３及び背凭れ１が連動して傾動するシンクロロッキング動作が可能なものである。
【００１５】
詳述すると、脚体４は、複数個のキャスターを装着している脚羽根４１と、脚羽根４１の中央より略垂直に立ち上がる脚支柱４２とを備えており、脚羽根４１と脚支柱４２との間に介設したガススプリング（図示せず）の伸縮により脚支柱４２を上下に突没させ得る。
【００１６】
基体２は脚支柱４２の上端に固定してあって、脚支柱４２の突没操作を通じて座３及び背凭れ１の高さ位置を調節することができる。基体２には、水平支軸１６回りに回動する背凭れ１を前方へ付勢する弾性付勢機構（図示せず）、背凭れ１のロッキング角度を固定する固定機構（図示せず）等を内蔵している。弾性付勢機構は、コイルスプリングやガススプリングを実装して背フレーム１１を弾性付勢するものである。固定機構は、例えば背フレーム１１側に設けた複数段の凹の何れかに選択的に爪を係合させてロッキング角度を固定するものとするが、弾性付勢機構にプッシュロック式のガススプリングを使用している場合にはそのバルブを駆動してガススプリングの伸縮動作を禁止する態様をとり得る。
【００１７】
座３は、座受３１に座面を構成するクッション体３２を装着してなる。クッション体３２は、例えば合成繊維のダブルラッセルメッシュの上にウレタンクッション材を重ね合わせた二層構造をなし、下層のメッシュが衝撃を吸収しつつ適度な弾力性を担保し、上層のウレタンクッション材が姿形の安定性を保つ。座３の前端部は、基体２に対し前後方向にスライド移動可能に支持させており、座３の後端部は、下記背フレーム１１における下フレーム部１３にヒンジ（図示せず）を介して取着している。
【００１８】
背凭れ１は、背フレーム１１の前面に背凭れ面Ｓを構成する張り部材１２を張り設けたものである。背フレーム１１は、基体２に対し水平支軸１６回りに回動可能に連結している下フレーム部１３と、下フレーム部１３の上端にヒンジ１７を介して連結している上フレーム部１４と、上フレーム部１４を後方より支持する反力フレーム部１５とを備えている。
【００１９】
下フレーム部１３は、幅方向に離間させて配置した左右の下フレーム要素１３１ａ、１３１ｂ同士を、剛性横架材１３２を以て相互に連結してなる。下フレーム要素１３１ａ、１３１ｂ、剛性横架材１３２はともに、例えば金属製の剛体である。下フレーム要素１３１ａ、１３１ｂは、側面視水平支軸１６の位置する前端から後方に延伸し、後端で上方に屈曲した略Ｌ字型をなす。
【００２０】
上フレーム部１４は、幅方向に離間させて配置した左右の上フレーム要素１４１ａ、１４１ｂ同士を、弾性横架材１４２を以て相互に連結してなる。上フレーム要素１４１ａ、１４１ｂは例えば金属製の剛体であるが、弾性横架材１４２は例えば樹脂製の弾性体である。上フレーム要素１４１ａ、１４１ｂは、側面視ヒンジ１７の位置する下端から、幾分後方に凹むように緩やかに湾曲しつつ上方に延伸し、その上端近傍で再度前方に膨出する弓形をなす。
【００２１】
反力フレーム部１５は、上フレーム要素１４１ａ、１４１ｂの各々を支持する同数の反力フレーム要素１５１ａ、１５１ｂよりなる。反力フレーム要素１５１ａ、１５１ｂの一端部は上フレーム要素１４１ａ、１４１ｂの背面に連接し、他端部は下フレーム要素１３１ａ、１３１ｂの下向面に連接する。但し、反力フレーム要素１５１ａ、１５１ｂの他端部を、座３や背凭れ１を支持する基体２に固定することを妨げない。反力フレーム要素１５１ａ、１５１ｂは、例えば弾性横架材１４２と同質の樹脂製の弾性体とする。本実施形態にあって、反力フレーム要素１５１ａ、１５１ｂは、側面視下フレーム要素１３１ａ、１３１ｂ及び上フレーム要素１４１ａ、１４１ｂに沿うように延伸して略Ｌ字型をなすフレーム形状の樹脂ばねであり、幅寸法はフレーム要素１３１ａ、１３１ｂ、１４１ａ、１４１ｂと同程度かそれよりもやや狭小、前後または上下の厚みはフレーム要素１３１ａ、１３１ｂ、１４１ａ、１４１ｂよりも薄く（付け加えれば、フレーム要素１３１ａ、１３１ｂ、１４１ａ、１４１ｂと接合する端部から遠ざかるにつれて徐々に薄く）なるように成形している。これにより、反力フレーム要素１５１ａ、１５１ｂがフレーム要素１３１ａ、１３１ｂ、１４１ａ、１４１ｂから枝分かれした、背フレーム１１の一部であるかのような外観が形作られる。
【００２２】
下フレーム要素１３１ａ、１３１ｂと上フレーム要素１４１ａ、１４１ｂとを互いに枢着するヒンジ１７の周辺、具体的には下フレーム要素１３１ａ、１３１ｂの後端から上端近傍にかけて及び上フレーム要素１４１ａ、１４１ｂの下端近傍の範囲で、側面視フレームの前面が前方に膨出するような湾曲形状をなしている。既に述べたように、上フレーム要素１４１ａ、１４１ｂの上端近傍においても、側面視フレームの前面が前方に膨出するような湾曲形状をなしている。しかして、上記の下フレーム要素１３１ａ、１３１ｂ及び上フレーム要素１４１ａ、１４１ｂの湾曲形状をなす部位に架け渡すように、張り部材１２を張り設けている。
【００２３】
張り部材１２は、伸縮性に富む張り地１２１を主体とする。張り地１２１は、例えば合成繊維のダブルラッセルメッシュにさらにエラストマ糸等の弾性糸を編み込んだもので、強度とクッション性とを両備している。張り地１２１は、それぞれ伸縮変形可能なメッシュ地の表布と裏布とをダブルラッセル編みで立体的に縫い合わせてなり、表裏で見え方（色彩、模様、光沢等）が異なる。張り地１２１の上辺及び左右の側辺は、バックアップ材１２２で保形している。図１０に示すように、バックアップ材１２２は、左右両側に対をなす縦枠１２２ａ、１２２ｂと両縦枠１２２ａ、１２２ｂを連結する横枠１２２ｃとが正面視三方枠状または四方枠状をなし、前後方向に撓み変形可能な例えば樹脂製の薄板体で、特に張り地１２１の左右の側辺が内側方に撓もうとすることを防ぎ、張り地１２１を張った状態に保つ。図示例のバックアップ材１２２は、左右両側の縦枠１２２ａ、１２２ｂの上端部同士を横枠１２２ｃを介して相互に連結した正面視略三方枠状をなすものである。
【００２４】
バックアップ材１２２の上端部は、背フレーム１１の上端部に支持させる。本実施形態では、バックアップ材１２２の縦枠１２２ａ、１２２ｂの上端部に貫通孔１２２ｘを穿ち、その貫通孔１２２ｘにビスまたはピン等の止着具１９１を挿通して上フレーム要素１４１ａ、１４１ｂの上端部に止着している。一方で、バックアップ材１２２の下端部は、背フレーム１１の下端部に支持させる。本実施形態では、バックアップ材１２２の縦枠１２２ａ、１２２ｂの下端部及び中間よりやや下方の部位にそれぞれ上下方向に延伸する長孔１２２ｙを穿ち、それら長孔１２２ｙにビスまたはピン等の止着具１９２を挿通して各々を下フレーム要素１３１ａ、１３１ｂの下端部及び上端部に止着している。バックアップ材１２２の上端部は上フレーム要素１４１ａ、１４１ｂに対して固定されるが、下端部は下フレーム要素１３１ａ、１３１ｂに対して上下スライド可能となる。
【００２５】
背フレーム１１の上端部とヒンジ１７近傍との間は側面視後方に凹むように湾曲しており、縦枠１２２ａ、１２２ｂの中間部位が後方に撓み変形し得る余地を与えている。背フレーム１１の上辺をなす弾性横架材１４２もまた平面視後方に凹むように湾曲しており、横枠１２２ｃが後方に撓み変形し得る余地を与えている。
【００２６】
張り部材１２の上端部は左右の上フレーム要素１４１ａ、１４１ｂに装着して支持させ、下端部は左右の下フレーム要素１３１ａ、１３１ｂに装着して支持させる。張り地１２１を背フレーム１１に架設するに際しては、張り地１２１の上縁をバックアップ材１２２の横枠１２２ｃに、張り地１２１の左右の側縁をバックアップ材１２２の縦枠１２２ａ、１２２ｂに装着する。具体的には、図１０及び図１１に示すように、バックアップ材１２２の周端面、即ち横枠１２２ｃの上端面及び左右の縦枠１２２ａ、１２２ｂの外側端面にそれぞれ凹溝１２２ｚを形成し、凹溝１２２ｚに張り地１２１の三方の縁端を嵌め入れて係止する。張り地１２１の三方の縁端には、予め、長尺な薄板状をなす例えば樹脂製の縁端材１２１ｘを（縫合、接着、溶着等により）取り付けておく。さらに、張り地１２１の下縁を下フレーム部１３の所定部位に固定する。図示例では、張り地１２１の下縁にブラケット１２１ｙを取り付けておき、このブラケット１２１ｙを下フレーム部１３の剛性横架材１３２にボルト１９３等を用いて固定している。
【００２７】
総じて言えば、背フレーム１１の前面にバックアップ材１２２を、バックアップ材１２２の前面に張り地１２１を配している。このとき、バックアップ材１２２は板ばねの作用を営み、張り地１２１を前方に押圧して張り出させる。張り地１２１の上端部及び下端部は、それぞれ背フレーム１１の上下端部に対して固定される。張り地１２１の上端部はバックアップ材１２２を介して間接的に上フレーム要素１４１ａ、１４１ｂに固定され、張り地１２１の下端部はバックアップ材１２２を介さず直接的に下フレーム要素１３１ａ、１３１ｂに固定されている。
【００２８】
因みに、張り部材１２の背後、着座者の腰部に対応する高さ位置に、ランバーサポートベルト１８を架け渡しておくこともできる。着座者が身体を背凭れ面Ｓに凭せかけた場合にも、ランバーサポートベルト１８を架け渡している部位はランバーサポートベルト１８の長さに応じた深度以上には後方に沈み込まない。ランバーサポートベルト１８の両端部は、適宜の支持構造（図示せず）を介してバックアップ材１２２の左右の縦枠１２２ａ、１２２ｂに取着して支持させる。但し、ランバーサポートベルト１８の両端部を、左右の上フレーム要素１４１ａ、１４１ｂまたは下フレーム要素１３１ａ、１３１ｂに支持させることを妨げない。
【００２９】
本実施形態の椅子は、座３及び背凭れ１が連動して傾動するシンクロロッキング動作が可能である。図６に示すように、シンクロロッキング動作では、背フレーム１１全体が水平支軸１６回りに回動することで背凭れ１が前後に傾動する。同時に、座３の後端部が背フレーム１１に連動して上下に揺動し、かつ座３の前端部が前後にスライドする。
【００３０】
その上で、本実施形態の椅子は、着座者が着座したまま後ろを振り向いたり、手を伸ばしたり、身体をねじったりする動きに追随して、背凭れ面Ｓの上部の左半部のみ、または右半部のみを後方に変位させる動作が可能である。背凭れ面Ｓの上部を支持している上フレーム部１４は、左右に対をなす上フレーム要素１４１ａ、１４１ｂが互いに独立して前後動する。即ち、左側の上フレーム要素１４１ａは左側の下フレーム要素１３１ａにヒンジ１７を介して連結し、右側の上フレーム要素１４１ｂは右側の下フレーム要素１３１ｂにヒンジ１７を介して連結しており、これら上フレーム要素１４１ａ、１４１ｂが個別に回動し得る。
【００３１】
図７に示すように、上フレーム要素１４１ａ、１４１ｂをヒンジ１７回りに後傾させたとき、下フレーム要素１３１ａ、１３１ｂ及び上フレーム要素１４１ａ、１４１ｂの湾曲形状をなす部位に張り部材１２が接触する面積が徐々に増大するとともに、背フレーム１１の上端部と下端部との離間距離が拡大するために張り地１２１が張力を増しつつ上下に伸長する。また、同時に、バックアップ材１２２の下端部が長孔１２２ｙの寸法範囲内で下フレーム要素１３１ａ、１３１ｂに対し上下方向に相対変位する。並びに、反力フレーム要素１５１ａ、１５１ｂがアングルを拡げるように変形して反力を蓄積し、上フレーム要素１４１ａ、１４１ｂを原位置に復帰させる方向、つまり前方に弾性付勢する。
【００３２】
そして、何れか一方の上フレーム要素１４１ａ（１４１ｂ）を他方の上フレーム要素１４１ｂ（１４１ａ）に対し相対的に前後方向に変位させれば、図８、図９に示すように、背凭れ面Ｓの形状を三次元的に変化させることができる。この動作において、下フレーム部１３は必ずしも駆動されない。また、左右に対をなす下フレーム要素１３１ａ、１３１ｂは剛性横架材１３２を介して剛体連結されているため、それら下フレーム要素１３１ａ、１３１ｂは常に一体的に運動する。故に、背凭れ面Ｓの下部、着座者の腰部より下方にあたる部分は、恒常的に一定の形状を維持する。
【００３３】
着座者の動きに伴い、上フレーム要素１４１ａ、１４１ｂの一方が他方に対し相対的に前後動すると、左右の上フレーム要素１４１ａ、１４１ｂ間の距離が増大する。その際、両上フレーム要素１４１ａ、１４１ｂの離間距離の増大に対応するべく、弾性横架材１４２が弾性変形する。本実施形態の弾性横架材１４２は、上フレーム要素１４１ａ、１４１ｂの上端部同士を相互に連結しており、平面視後方に凹む湾曲形状をなす状態で組み付けてある。弾性横架材１４２の前後の厚みは、上フレーム要素１４１ａ、１４１ｂに連結している両端部から幅方向の中央に向かうにつれて徐々に薄くなっており、両端部よりも中間部の方が比較的変形し易くなっている。これは、上フレーム要素１４１ａ、１４１ｂと弾性横架材１４２との連結箇所に負荷が集中することを避けるためである。
【００３４】
ここで、上フレーム要素１４１ａ、１４１ｂと弾性横架材１４２との連結態様に関して補足する。上フレーム要素１４１ａ、１４１ｂは、上端で互いに相寄る内側方に接合端部を突き出させており、それら接合端部に弾性横架材１４２の両端部を連接する。図１２に示すように、上フレーム要素１４１ａ、１４１ｂの接合端部及び弾性横架材１４２の両端部の相互に向き合う端面の一方（図示例では、上フレーム要素１４１ａ、１４１ｂ側）には凸部１４１ｘを突設し、他方（図示例では、弾性横架材１４２側）には凹部１４２ｘを形成して、凸部１４１ｘを凹部１４２ｘに嵌め入れる嵌合構造を構築している。そして、嵌合の方向とは交差する方向からボルト１９４を螺入して凸部１４１ｘと凹部１４２ｘの周壁とを螺合緊締することで、上フレーム要素１４１ａ、１４１ｂの接合端部と弾性横架材１４２の端部とを結合する。図示例では、ボルト１９４を前方より螺入しており、このボルト１９４は背フレーム１１に張り設けられる張り部材１２によって略隠蔽される。
【００３５】
上フレーム要素１４１ａ、１４１ｂの一方が他方に対し相対的に前後動するとき、弾性横架材１４２は曲率を減少させるように変形して両端間の距離を伸張する。
【００３６】
加えて、背凭れ面Ｓが受けた着座者の荷重は、張り部材１２を介して上フレーム要素１４１ａ、１４１ｂに作用し、上フレーム要素１４１ａ、１４１ｂを内側方に倒れ込ませようとしてヒンジ１７に負荷をかける。このような負荷を打ち消し低減する目的で、弾性横架材１４２を、上フレーム要素１４１ａ、１４１ｂを幅方向に離反させるような初期弾性力を発揮する状態で組み付けている。
【００３７】
尤も、左右両側の上フレーム要素１４１ａ、１４１ｂをともに傾動させることもできる。その場合、例えば着座者の背を大きく反らせるようなストレッチが可能になる。
【００３８】
本実施形態によれば、上フレーム部１４のヒンジ１７回りの回動を通じて背フレーム１１の上端部と下端部との離間距離が可変であり、それら上下端部間に伸縮自在な張り地１２１を架け渡して背凭れ面Ｓを構成している背凭れ１を具備する椅子にあって、張り地１２１の縁部に張り地１２１を張った状態に保つためのバックアップ材１２２を設け、バックアップ材１２２の上端部を背フレーム１１の上端部（または、上フレーム要素１４１ａ、１４１ｂ）に、バックアップ材１２２の下端部を背フレーム１１の下端部（または、下フレーム要素１３１ａ、１３１ｂ）にそれぞれ支持させ、かつ、バックアップ材１２２の上端部または下端部の少なくとも一方を、背フレーム１１の上端部または下端部に対し上下スライド可能としたため、バックアップ材１２２を上下のピースに分かたずともよく、構造の簡便化を図り得る。そして、既存の椅子におけるバックアップ材のオーバーラップ部分が着座者の背中に異物感を与える問題を実効的に解消できる。
【００３９】
バックアップ材１２２を、左右両側に対をなす縦枠１２２ａ、１２２ｂと両縦枠１２２ａ、１２２ｂを連結する横枠１２２ｃとが正面視略三方枠状または四方枠状をなす前後方向に撓み変形可能な薄板体とし、バックアップ材１２２の中央部を中空としているため、着座者の荷重を受けた張り地１２１が後方に沈み込むように変形することを妨げず、柔らかな座り心地を提供できる。
【００４０】
背凭れ１の上部を後傾させて着座者の背中を反らせるような場合、着座者の臀部は背凭れ面Ｓよりやや離反するのが自然な体位である。これに従い、バックアップ材１２２の上端部を背フレーム１１の上端部に固定しつつ、バックアップ材１２２の下端部を背フレーム１１の下端部に上下スライド可能に支持させた上で、張り地１２１の左右側縁を縦枠１２２ａ、１２２ｂに、上縁を横枠１２２ｃに保持させており、着座者に余計な違和感を与えない。
【００４１】
バックアップ材１２２の左右の縦枠１２２ａ、１２２ｂにランバーサポートベルト１８の両側部を支持させており、着座者が身体を背凭れ面Ｓに凭せかけた際にランバーサポートベルト１８を架け渡している部位がランバーサポートベルト１８の長さに応じた深度以上には後方に沈み込まない。
【００４２】
バックアップ材１２２の端面に凹溝１２２ｚを形成し、張り地１２１の縁端を凹溝１２２ｚに嵌め入れて係止するものとして、張り地１２１とバックアップ材１２２との装着構造を簡便ならしめている。また、張り地１２１を椅子より適宜脱着することができ、張り地１２１の交換や洗濯等、メンテナンス性の向上に資する。
【００４３】
背フレーム１１を上フレーム部１４と下フレーム部１３とに上下に分割し、上フレーム部１４を下フレーム部１３にヒンジ１７を介して回動可能に連結しているため、背凭れ面Ｓの全体を一体的に傾動させるロッキング動作と、背凭れ面Ｓの上部のみを傾動させる背凭れ面変形動作とを選択的に実行可能となっている。無論、ロッキング動作と背凭れ面変形動作とを同時に惹起することも可能であり、着座者が着座したままで様々な姿勢をとり得る。
【００４４】
なお、本発明は以上に詳述した実施形態に限られるものではない。特に、バックアップ材の上端部を、背フレームの上端部に対して上下スライド可能とすることを妨げない。例えば、バックアップ材の上端部に上下方向に延伸する長孔を穿ち、その長孔にビスまたはピン等の止着具を挿通して背フレームの上端部（または、上フレーム要素）に止着することにより、バックアップ材の上端部を相対スライド可能に支持させる。この場合、張り地の上端部を背フレームの上端部にバックアップ材を介さず直接的に固定することも考えられる。また、バックアップ材の下端部は、背フレームの下端部（または、下フレーム要素）に固定しても、背フレームの下端部に対して上下スライド可能としてもよい。
【００４５】
図１３に例示するように、上フレーム要素１４１ａ、１４１ｂを、下フレーム要素１３１ａ、１３１ｂに枢着せず、基体２に対して回動可能に連結する態様もとり得る。
【００４６】
背凭れ面を構成する張り地は、ダブルラッセルメッシュには限られない。柔軟な面材であれば、例えばエラストマ樹脂材等であってもよい。
【００４７】
その他各部の具体的構成や処理の手順等は、本発明の趣旨を逸脱しない範囲で種々変形が可能である。
【図面の簡単な説明】
【００４８】
【図１】本発明の一実施形態の椅子を正面側から見た斜視図。
【図２】同椅子を背面側から見た斜視図。
【図３】同椅子の側面図。
【図４】同椅子の背面図
【図５】同椅子の平面図。
【図６】同椅子のシンクロロッキング動作を示す側面図。
【図７】同椅子の上フレーム要素を後方に変位させた状態を示す側面図。
【図８】図椅子の背凭れ面変形動作を示す斜視図。
【図９】同椅子の背凭れ面変形動作を示す平面図。
【図１０】同椅子の張り地及びバックアップ材を示す要部分解斜視図。
【図１１】同椅子の張り地のバックアップ材への装着の態様を示す要部平断面図。
【図１２】同椅子の上フレーム要素と弾性横架材との連結の態様を示す要部平断面図。
【図１３】本発明の一変形例に係る椅子を示す側面図。
【符号の説明】
【００４９】
Ｓ…背凭れ面
１…背凭れ
１１…背フレーム
１２１…張り地
１２２…バックアップ材
１２２ａ、１２２ｂ…縦枠
１２２ｃ…横枠
１２２ｚ…凹溝
１３１…下フレーム部
１４１…上フレーム部
１７…ヒンジ
１８…ランバーサポートベルト
【図１】
0004721182.tif 000002
【図２】
0004721182.tif 000003
【図３】
0004721182.tif 000004
【図４】
0004721182.tif 000005
【図５】
0004721182.tif 000006
【図６】
0004721182.tif 000007
【図７】
0004721182.tif 000008
【図８】
0004721182.tif 000009
【図９】
0004721182.tif 000010
【図１０】
0004721182.tif 000011
【図１１】
0004721182.tif 000012
【図１２】
0004721182.tif 000013
【図１３】
0004721182.tif 000014